(57)【要約】【課題】頭取り調査において、稼動データの分析結果の信頼性を高める。【解決手段】集計サーバ２０において、通信部２２０は、入力端末１０から送信された稼動データ、島データ、入力時間データを取得する。相関抽出部２１１は、入力端末１０から取得する複数の稼動データのうち、稼動データＡと入力時間データ（調査時間）とを抽出する。判定部２１２は、抽出された稼動データＡ（客数）と入力時間データ（調査時間）と、相関ＤＢ２１に記憶された稼動データＡと入力時間データとの相関とを比較し、取得した稼動データ間、または稼動データと入力時間データの相関と、相関ＤＢ２１に記憶された相関とが適合する場合に、判定部２１２は、稼動データを妥当と判定する。【選択図】図５
2011244853.tif 000002
【特許請求の範囲】
【請求項１】
遊技場に設置された遊技機の稼働状況を示す稼動データを取得する稼働状況取得システムであって、
前記稼働状況を前記遊技場において調査する調査員に、複数の前記遊技機が集合した遊技機ブロックを一意に識別するブロック識別子を入力インターフェイスを介して入力させるブロック識別子入力部と、
前記調査員に前記稼動データを入力インターフェイスを介して入力させる稼動データ入力部と
前記ブロック識別子入力部によって入力された前記ブロック識別子と、前記稼動データ入力部によって入力された前記稼動データと、前記調査員による前記稼動データの入力に要した入力時間を示す入力時間データとを対応付けて記憶する記憶部と、
前記記憶部に記憶されている前記稼動データ間、または前記稼動データと入力時間データとの相関を抽出する相関抽出部と、
前記相関抽出部によって抽出された前記相関に基づいて、前記稼動データ入力部によって新たに入力された稼動データが妥当か否か判定する判定部と
を有する稼働状況取得システム。
【請求項２】
前記判定部は、
調査員により入力された前記稼動データを妥当であると判定した場合には、前記相関抽出部によって抽出された前記相関を前記記憶部に追加し、
前記稼動データ入力部によって新たに入力された稼動データ間、または前記新たに入力された稼動データと入力時間データとの相関と、前記記憶部に追加された相関を含む複数の相関とに基づいて、前記稼動データ入力部によって新たに入力された稼動データが妥当か否か判定する請求項１に記載の稼働状況取得システム。
【請求項３】
前記判定部は、
前記相関抽出部によって抽出された相関と前記記憶部に記憶された相関との適合度合が所定値以下の場合、前記稼動データが妥当でないと判定する請求項１又は２の何れかに記載の稼働状況取得システム。
【請求項４】
前記判定部は、
前記記憶部に記憶された一のブロック識別子に対応付けられた前記稼動データ間、または前記稼動データと前記入力時間データとの相関と、
前記稼動データ入力部によって新たに入力された前記一のブロック識別子と同一のブロック識別子に対応付けられた稼動データ間、又は新たに入力された前記稼動データと前記入力時間データとの相関との適合度合に応じて、複数の前記稼動データに階調を有する評価値を設定し、
複数の前記稼動データに設定された前記評価値の合計が所定の閾値に達した場合、前記稼動データ入力部によって新たに入力された複数の前記稼動データの一群を妥当でないと判定する請求項１に記載の稼働状況取得システム。
【請求項５】
前記稼動データは、少なくとも、遊技機毎の出球数、客の人数、男性の人数、女性の人数の何れか1つを含む請求項１乃至４の何れか１項に記載の稼働状況取得システム。
【請求項６】
前記調査員に前記遊技場の客数に影響を与える要因、または前記調査員の調査時間に影響を与える要因を示す付加データを入力インターフェイスを介して入力させる付加データ入力部を有し、
前記判定部は、
前記付加データ入力部によって入力された付加データに基づいて、前記相関抽出部によって抽出された相関の比較対象としての相関を新たに設定し、前記新たに設定された相関に基づいて、前記稼動データ入力部によって新たに入力された稼動データが妥当か否か判定する請求項１乃至５の何れか１項に記載の稼働状況取得システム。
【請求項７】
前記付加データは、少なくとも、天候、前記遊技場に設定されたイベント、遊技機の入れ替え台数、調査員の調査回数、調査員の熟練度の何れか１つを含む請求項６に記載の稼働状況取得システム。
【請求項８】
遊技場に設置された遊技機の稼働状況を示す稼動データを取得する稼働状況取得方法であって、
前記稼働状況を前記遊技場において調査する調査員に、複数の前記遊技機が集合した遊技機ブロックを一意に識別するブロック識別子を入力インターフェイスを介して入力させるブロック識別子入力ステップと、
前記調査員に前記稼動データを入力インターフェイスを介して入力させる稼動データ入力ステップと
前記ブロック識別子入力ステップによって入力された前記ブロック識別子と、前記稼動データ入力ステップによって入力された前記稼動データと、前記調査員による前記稼動データの入力に要した入力時間を示す入力時間データとを対応付けてメモリに記憶するステップと、
前記記憶された前記稼動データ間、または前記稼動データと入力時間データとの相関を抽出する相関抽出ステップと、
前記相関抽出ステップによって抽出された前記相関に基づいて、前記稼動データ入力ステップによって新たに入力された稼動データが妥当か否か判定する判定ステップと、
前記判定ステップによる判定の結果、妥当でない稼動データにフラグを付与して前記メモリに保持する処理、前記妥当でない稼動データを削除する処理、或いは前記妥当でない稼動データが入力された入力インターフェイスを識別する情報をメモリに記憶する処理の何れかを実行するステップと
を有する稼働状況取得方法。
【発明の詳細な説明】
【技術分野】
【０００１】
本発明は、遊技場の集客状況などを含む情報を調査する稼働状況取得システム及び稼働状況取得方法に関する。
【背景技術】
【０００２】
パチンコ店、パチスロ店などを含む遊技業界では、店舗毎の集客状況や設置された遊技機種の出球状況を調査する、いわゆる「頭取り調査」が行われている。頭取り調査によって取得されるデータ（稼動データという）には、例えば、遊技機毎の出球数、客の人数、男性の人数、女性の人数、客の年齢層などがあり、これらの稼動データは、調査員によって調査されている。
【０００３】
店舗内には、パチンコ遊技機、パチスロ遊技機などの遊技機が複数集められた「島」が形成されており、稼動データは、例えば、島毎に調査される。しかし、雑多な店舗内において、稼動データを正しく収集することは難しく、収集された稼動データを集計する作業も煩雑である。
【０００４】
そこで、一例として、調査員が携帯端末のアプリケーションを利用して頭取りの調査結果を入力し、インターネットなどのネットワークを介してサーバに送信する稼働状況取得システムが提案されている（特許文献１参照）。この稼働状況取得システムでは、携帯端末に入力した稼動データをサーバに送信できるため、データ収集から分析までの一連の作業の効率を高めるという利点がある。
【先行技術文献】
【特許文献】
【０００５】
【特許文献１】特開２００７−３３０７４０号公報
【発明の概要】
【発明が解決しようとする課題】
【０００６】
しかしながら、上述の利点に相反して、次のような問題点があった。すなわち、特許文献１に開示された稼働状況取得システムでは、携帯端末を用いて稼動データを入力し、サーバに稼動データを送信できるため、調査員によって稼動データの捏造が可能なことである。取得された稼動データが捏造されたものであるか疑わしい場合には、取得した稼動データから分析された結果の信頼性も低くなる。
【０００７】
そこで、本発明は、頭取り調査において、取得された稼動データの分析結果の信頼性を高めることができる稼働状況取得システム、及び稼働状況取得方法の提供を目的とする。
【課題を解決するための手段】
【０００８】
上述した問題を解決するため、本発明は、次のような特徴を有している。本発明の特徴は、遊技場に設置された遊技機の稼働状況を示す稼動データを取得する稼働状況取得システム（稼働状況取得システム１）であって、前記稼働状況を前記遊技場において調査する調査員に、複数の前記遊技機が集合した遊技機ブロック（島）を一意に識別するブロック識別子（島データ）を入力インターフェイスを介して入力させるブロック識別子入力部（バーコードリーダ１２０）と、前記調査員に前記稼動データを入力インターフェイスを介して入力させる稼動データ入力部（バーコードリーダ１２０）と、前記ブロック識別子入力部によって入力された前記ブロック識別子（島データ）と、前記稼動データ入力部によって入力された前記稼動データと、前記調査員による前記稼動データの入力に要した入力時間を示す入力時間データとを対応付けて記憶する記憶部（記憶部２６０）と、前記記憶部に記憶されている前記稼動データ間、または前記稼動データと入力時間データとの相関を抽出する相関抽出部（相関抽出部２１１）と、前記相関抽出部によって抽出された前記相関に基づいて、前記稼動データ入力部によって新たに入力された稼動データが妥当か否か判定する判定部（判定部２１２）とを有することを要旨とする。
【０００９】
本発明に係る稼働状況取得システムによれば、遊技機ブロックを一意に識別するブロック識別子と、稼動データ入力部によって入力された稼動データと、調査員による稼動データの入力に要した入力時間を示す入力時間データとを対応付けて記憶する。このため、取得した稼動データを遊技機ブロックに対応付けて確実に取得することができる。
【００１０】
また、稼動データ入力部によって入力された稼動データ間の相関、或いは稼動データと入力時間データとの相関に基づいて、稼動データ入力部によって新たに入力された稼動データが妥当か否か判定される。このため、入力されたデータが調査員によって捏造された稼動データか否か判別できる。従って、頭取り調査において、稼動データの分析結果の信頼性を高めることができる。
【発明の効果】
【００１１】
本発明によれば、頭取り調査において、稼動データの分析結果の信頼性を高めることができる稼働状況取得システム、及び稼働状況取得方法を提供できる。
【図面の簡単な説明】
【００１２】
【図１】図１は、実施形態に係る稼働状況取得システムの概略を説明する構成図である。
【図２】図２は、実施形態に係る稼働状況取得システムにおいて使用される入力端末を説明する構成図である。
【図３】図３は、バーコード付き島図の構成を説明する模式図である。
【図４】図４は、実施形態に係る稼働状況取得システムにおいて使用される集計サーバを説明する構成図である。
【図５】図５は、集計サーバの動作を説明するフローチャートである。
【図６】図６は、入力端末から送信された稼動データ、島データ、入力時間データの一覧を説明する図である。
【図７】図７は、相関ＤＢに記憶された稼動データと入力時間データとの相関を表す図である。
【図８】図８は、相関ＤＢに記憶された稼動データと入力時間データとの相関を表す図である。
【図９】図９は、集計サーバの動作を説明するフローチャートである。
【発明を実施するための形態】
【００１３】
図面を参照して、本発明の実施形態を説明する。具体的には、（１）稼働状況取得システムの概略構成、（２）入力端末の構成、（３）バーコード付き島図の構成、（４）集計サーバの構成、（５）入力端末の動作、（６）集計サーバによる稼動データの妥当性の判定（判定部の第１の方法）、（７）集計サーバによる稼動データの妥当性の判定（判定部の第２の方法）、（８）集計サーバによる稼動データの妥当性の判定（判定部の第３の方法）、（９）作用・効果、（１０）その他の実施形態について説明する。以下の実施形態における図面の記載において、同一又は類似の部分には同一又は類似の符号を付している。
【００１４】
（１）稼働状況取得システムの概略構成
図１は、稼働状況取得システム１の概略を説明する構成図である。稼働状況取得システム１は、調査員によって遊技場に設置された遊技機の稼働状況を示す稼動データが入力される入力端末１０と、入力端末によって入力された稼動データが集計される集計サーバ２０とを有し、入力端末１０と集計サーバ２０とは、ネットワーク３０を介して接続されている。
【００１５】
本実施形態では、稼動データとは、パチンコ店、パチスロ店などの遊技場店舗Ｓ１〜Ｓｎにおける集客状況、出球状況などを遊技機の稼働状況に関するデータであり、例えば、遊技場店舗Ｓ１における、客数、客の性別及び年齢層などを含む客の構成、遊技機の機種ごと、或いは複数の遊技機が集合した遊技機ブロック（いわゆる「島」）ごとの出球数（パチスロの場合には出メダル数である）がある。
【００１６】
実施形態では、これらの稼動データを取得することを「頭取り調査」という。稼動データは、調査員によって入力端末１０とバーコード付き島図３００とを用いて調査される。島図とは、遊技場店舗Ｓ１〜Ｓｎの店舗内の遊技機の配置が表示された図である。本実施形態では、必要な情報が予めバーコード化されて添付されたシート状の媒体であるため、バーコード付き島図３００という。
【００１７】
（２）入力端末の構成
図２は、入力端末１０を説明する構成図である。図２に示す入力端末１０は、例えばパーソナルコンピュータである。入力端末１０は、制御部１１０と、バーコードリーダ１２０と、バーコードリーダインターフェイス（Ｉ／Ｆ）１３０と、通信部１４０と、表示部１５０と、音声出力部１６０と、記憶部１７０と、計時部１８０とを有する。実施形態では、入力端末１０は、入力部を構成するバーコードリーダ１２０を有する。
【００１８】
制御部１１０は、例えばＣＰＵによって構成され、入力端末１０の各種機能を制御する。バーコードリーダ１２０は、後述するバーコード付き島図３００にバーコードとして表示された情報を読み取る。制御部１１０は、バーコードリーダ１２０及びバーコードリーダＩ／Ｆ１３０を介して、バーコード付き島図３００（後述する）に表示された情報を受信する。
【００１９】
通信部１４０は、集計サーバ２０との間で、ネットワーク３０を介して通信する。通信部１４０は、バーコードリーダ１２０によって読み取られたデータ、或いは記憶部１５０に保持されたデータをネットワーク３０に送信する。
【００２０】
表示部１５０は、液晶表示パネル、液晶表示パネルドライバなどを有し、制御部１１０を介して受信した画像を表示したり、操作内容を表示したりする。表示部１５０は、画面上の接触された位置を検知する接触検出機能付きの表示パネルとすることができる。
【００２１】
音声出力部１６０は、スピーカ、アンプ、音声出力ドライバなどを有し、操作時に関連する操作音、確認音、警告音などを出力する。
【００２２】
記憶部１７０は、例えば、半導体メモリ、ディスク状記録媒体であり、入力端末１０における制御で用いられる各種情報を記憶する。或いは、入力端末１０における各種制御を実行するためのプログラムが記憶されている。
【００２３】
計時部１８０は、調査員によるバーコードリーダ１２０を用いた稼動データの入力に要する入力時間データを計測する。
【００２４】
制御部１１０は、バーコードリーダ１２０によって読み取られたバーコードのデータを記憶部１７０などに一時的に記憶する。また、制御部１１０は、一時的に記憶されたデータを集計サーバ２０へ送信するように通信部１４０を制御する。
【００２５】
入力端末１０において、バーコードリーダ１２０は、複数の遊技機が集合した遊技機ブロック（島）を一意に識別するブロック識別子を入力させるブロック識別子入力部を構成する。またバーコードリーダ１２０は、調査員に稼動データを入力させる稼動データ入力部を構成する。
【００２６】
（３）バーコード付き島図の構成
図３は、バーコード付き島図の構成を説明する模式図である。実施形態では、バーコード付き島図３００は、遊技場店舗Ｓ１〜Ｓｎごとに用意され、調査員に与えられる。
【００２７】
バーコード付き島図３００は、遊技場において遊技機ブロックを一意に識別する島特定バーコード３０１，３０２，３０３、性別が入力される性別バーコード３０４、数字が入力されるテンキーバーコード３０５、入力するデータの項目が選択される選択バーコード３０６などが表示されている。実施形態において、島特定バーコード３０１，３０２，３０３は、ブロック識別子を構成する。
【００２８】
バーコード付き島図３００には、遊技場の客数に影響を与える要因となる付加データを入力する付加データバーコード３０７などを表示することもできる。
【００２９】
実施形態では、付加データは、天候、店で設定するイベントの有無及び内容、その他に遊技場の客数に影響を与える要因となるイベントを含む。また、付加データは、調査員による調査の際に、調査時間に影響を与える要因も含む。後者の要因には、例えば、遊技場に設置された遊技機の機種変更、台の入れ替えなどが含まれる。付加データバーコード３０７と入力端末１０とは、付加データ入力部を構成する。
【００３０】
（４）集計サーバの構成
図４は、集計サーバ２０を説明する構成図である。集計サーバ２０は、制御部２１０と、通信部２２０と、操作部２３０と、表示部２４０と、音声出力部２５０と、記憶部２６０とを有する。
【００３１】
制御部２１０は、例えばＣＰＵによって構成され、集計サーバ２０の各種機能を制御する。制御部２１０の詳細な構成は後述する。
【００３２】
通信部２２０は、入力端末１０との間で、ネットワーク３０を介して通信する。通信部２２０は、バーコードリーダ１２０によって読み取られた島データ及び稼動データ、或いは記憶部１５０に保持された島データ或いは稼動データ、稼動データの入力に要した入力時間に関する時間データをネットワーク３０を介して受信する。通信部２２０は、入力インターフェイスを介して調査員により入力された島データ及び複数の稼動データを取得する。
【００３３】
操作部２３０は、テンキーやファンクションキーなどによって構成され、主催者の操作内容を入力するために用いられるインターフェイスである。また、操作部２３０は、表示部２４０に表示された文字列などを選択したりするポインティングデバイスであるマウスも含まれる。
【００３４】
表示部２４０は、液晶表示パネル、液晶表示パネルドライバなどを有し、制御部２１０を介して受信した画像を表示したり、操作内容を表示したりする。表示部２４０は、画面上の接触された位置を検知する接触検出機能付きの表示パネルとすることができる。
【００３５】
音声出力部２５０は、スピーカ、アンプ、音声出力ドライバなどを有し、操作時に関連する操作音、確認音、警告音などを出力する。なお、実施形態において、音声出力部２５０は必須でない。
【００３６】
記憶部２６０は、例えば、半導体メモリ、ディスク状記録媒体であり、入力端末１０における制御で用いられる各種情報を記憶する。或いは、入力端末１０における各種制御を実行するためのプログラムが記憶されている。記憶部２６０は、入力端末１０から取得した島データ、稼動データ、入力時間データとを対応付けて記憶する。
【００３７】
集計サーバ２０には、稼動データ間、または稼動データと入力時間データとの相関が記憶された相関データベース（相関ＤＢ）２１が接続されている。集計サーバ２０には、遊技場の客数に影響を与える要因となる付加データが入力されたときに使用されるデータが格納された補正データベース（補正ＤＢ）２２が接続されていてもよい。相関データベース２１、補正データベース２２については、後述する。
【００３８】
次に、制御部２１０の構成について説明する。例えば、出球数が多かったり、客数が多かったりする場合には、調査員は調査に時間を要する。出願人は、調査員によって入力される複数の稼動データと、入力に要した入力時間データとの間の相関に着目することにより、調査員によって入力された稼動データの妥当性（正確さ、信頼性など）を判定できることを見出した。そこで、制御部２１０の構成に、入力したデータ間の相関を抽出する機能と、相関に基づいて入力したデータの妥当性を判定する機能とを導入した。
【００３９】
制御部２１０は、相関抽出部２１１と、判定部２１２とを有する。相関抽出部２１１は、通信部２２０において取得し、相関ＤＢ２１に記憶された稼動データ間の相関、又は稼動データと入力時間データとの相関を抽出する。実施形態では、稼動データには、少なくとも、遊技機毎の出球数、客の人数、男性の人数、女性の人数、客の年齢層の何れか1つが含まれる。
【００４０】
相関抽出部２１１において抽出される相関の一例としては、「出球数と調査時間」、「客数と調査時間」、「バーコードが選択される間隔と出球数」、「島コードが選択される間隔と出球数」、「島コードが選択される間隔と人数」などが挙げられる。
【００４１】
実施形態において、判定部２１２は、相関抽出部２１１によって抽出された相関に基づいて、新たに入力された稼動データが妥当か否か判定する３つの方法を有する。
【００４２】
第１の方法として、判定部２１２は、相関抽出部２１１によって抽出された相関に基づいて、新たに入力された稼動データが妥当か否か判定する。具体的に、判定部２１２は、相関抽出部２１１によって抽出された相関と相関ＤＢ２１に記憶された相関との適合度合が所定値以下の場合、稼動データが妥当でないと判定する。
【００４３】
第１の方法では、例えば、相関抽出部２１１によって、相関として「出球数と調査時間」が抽出された場合、ある１つの島について、調査員から入力された出球数が５０箱であるのに、調査に３分を要しているとすると、判定部２１２は、この出球数のデータを妥当でないと判定する。
【００４４】
第２の方法として、判定部２１２は、相関ＤＢ２１に記憶された、一の島データに対応付けられた稼動データ間、または稼動データと入力時間データとの相関と、一の島データと同一の島データに対応付けられた新たに入力された稼動データ間、又は稼動データと入力時間データとの相関との適合度合に応じて、稼動データに階調を有するスコア（評価値）を設定し、スコア合計が所定の閾値に達した場合、新たに入力された複数の稼動データの一群を妥当でないと判定する。
【００４５】
第３の方法として、判定部２１２は、入力された付加データに基づいて、相関抽出部２１１によって抽出された相関の比較対象としての相関を新たに設定する。判定部２１２は、新たに設定された相関に基づいて、稼動データが妥当か否か判定する。
【００４６】
判定部２１２は、第１、第２または第３の方法によって、調査員により入力された稼動データを妥当であると判定した場合には、相関抽出部２１１によって抽出された相関を相関ＤＢ２１に追加する。
【００４７】
判定部２１２は、取得した稼動データが妥当でないと判定した場合には、妥当でない稼動データにフラグを付与して相関ＤＢ２１に記憶させる。または判定部２１２は、妥当でない稼動データを削除する。または判定部２１２は、妥当でない稼動データが入力された入力端末１０を識別する情報を相関ＤＢ２１又は記憶部２６０に記憶する。判定部２１２は、取得した稼動データが妥当でないと判定した場合には、入力端末１０に稼動データが正しくない旨の警告を発信してもよい。なお、「削除」には、論理削除と物理削除を含む。また、相関ＤＢ２１を避ける隔離などを含む。
【００４８】
（５）入力端末の動作
調査員は、頭取り調査を行う際には、入力端末１０を立ち上げる。このとき、計時部１８０により入力時間のカウントが開始される。
【００４９】
調査員は、島特定バーコード３０１にバーコードリーダ１２０をかざして、調査対象の島を選択する。このとき、島を特定する島データが入力端末１０に入力される。調査員は、更に、調査項目を選択する選択バーコード３０６から該当する項目を選択し（例えば、客数）、テンキーバーコード３０５に表示された数字に対応するバーコードを選択する。この操作により、選択された数字が入力端末１０に入力される。このようにすることで、島データと数字とが対応付けて入力される。
【００５０】
調査員は、適宜項目を選択し、テンキーバーコード３０５のバーコードにバーコードリーダ１２０をかざすことを繰り返すことによって、例えば、遊技機毎の出球数、客の人数、男性の人数、女性の人数、客の年齢層などの稼動データを入力する。
【００５１】
バーコード付き島図３００には、遊技場の客数に影響を与える要因となる、例えば、イベント、天候などの付加データを入力する付加データバーコード３０７などを表示することもできる。付加データバーコード３０７と入力端末１０とは、付加データ入力部を構成する。
【００５２】
（６）集計サーバによる稼動データの妥当性の判定（判定部の第１の方法）
次に、調査員によって入力された稼動データの妥当性を判定する方法について、図５〜図８を用いて説明する。図５は、集計サーバ２０の動作を説明するフローチャートである。はじめに、判定部の第１の方法に伴う妥当性の判定方法について説明する。
【００５３】
集計サーバ２０において、通信部２２０は、入力端末１０から送信された稼動データ、島データ、入力時間データを取得する（ステップＳ１）。図６は、入力端末１０から送信された稼動データ、島データ、入力時間データの一覧を説明する図である。
【００５４】
続いて、集計サーバ２０において、相関抽出部２１１は、入力端末１０から取得する複数の稼動データのうち、稼動データＡと入力時間データ（調査時間）とを抽出する。稼動データＡは、例えば、客数である（ステップＳ２）。
【００５５】
判定部２１２は、抽出された稼動データＡ（客数）と入力時間データ（調査時間）と、相関ＤＢ２１に記憶された稼動データＡと入力時間データとの相関とを比較する（ステップＳ３）。
【００５６】
図７は、相関ＤＢ２１に記憶された稼動データＡと入力時間データとの相関を表す図である。相関ＤＢ２１には、島当たりの客数が１〜１０人の場合には、入力時間データは１〜５分、島当たりの客数が１１〜１５人の場合には、入力時間データは６〜１０分、…のような相関が記憶されている。
【００５７】
判定部２１２は、図７に示す稼動データＡと入力時間データとの相関を用いて、抽出された稼動データＡ（客数）と入力時間データ（調査時間）との相関を比較する。
【００５８】
取得した稼動データ間、または稼動データと入力時間データの相関と、相関ＤＢ２１に記憶された相関とが適合する場合（ステップＳ４，ｙｅｓ）には、判定部２１２は、稼動データを妥当と判定する（ステップＳ５）。稼動データと入力時間データの相関は、相関ＤＢ２１に記憶される（ステップＳ６）。
【００５９】
例えば、図６に示す一覧テーブルにおいて、１０／５／１の午後の２回目の調査（１０／５／１  ＰＭ２）において取得された稼動データと入力時間データとの相関は、相関ＤＢ２１に記憶された相関と適合していない。このように、取得した稼動データ間、または稼動データと入力時間データの相関と、相関ＤＢ２１に記憶された相関とが適合しない場合（ステップＳ４，ｎｏ）には、判定部２１２は、稼動データを妥当でないと判定する（ステップＳ７）。判定部２１２は、稼動データを削除する（ステップＳ８）。
【００６０】
判定部２１２は、ステップＳ８において、稼動データを削除する代わりに、妥当でないと判定された稼動データに妥当でない旨のフラグを付与して相関ＤＢ２１に記憶させる。あるいは、判定部２１２は、妥当でないと判定された稼動データが入力された入力端末１０に対して、稼動データが正しくない旨の警告を発信してもよい。
【００６１】
図８は、相関ＤＢ２１に記憶された稼動データＢと入力時間データとの相関を表す図である。相関抽出部２１１は、入力端末１０から取得する複数の稼動データのうち、稼動データＢ（ただし、稼動データＢは、出球数（箱単位））と入力時間データ（調査時間）とを抽出した場合には、ステップＳ３において、図８に示す稼動データＢと入力時間データとの相関を用いて、抽出された稼動データＢ（出球数）と入力時間データ（調査時間）との相関を比較する。図８に示す稼動データＢ（出球数）と入力時間データとの相関に基づいて、抽出された稼動データＢ（出球数）の妥当性を判定することができる。
【００６２】
（７）集計サーバによる稼動データの妥当性の判定（判定部の第２の方法）
図５に示したフローチャートでは、相関抽出部２１１において、抽出される相関が一組の場合であった。しかし、相関抽出部２１１は、複数の相関を抽出することもできる。続いて、判定部の第２の方法に伴う妥当性の判定方法について説明する。この場合には、判定部２１２は、複数の相関に基づいて入力された稼動データの妥当性の判定を行う。
【００６３】
図９は、集計サーバ２０における稼動データの妥当性を判定する処理を説明するフローチャートである。
【００６４】
判定部２１２は、記憶部２６０に記憶された、ある島データに対応付けられた稼動データ間、または稼動データと入力時間データとの相関と、ある島データと同一の島データに対応付けられた新たに入力された稼動データ間、又は新たに入力された前記稼動データと前記入力時間データとの相関との適合度合に応じて、複数の稼動データに階調を有する評価値を設定する。
【００６５】
集計サーバ２０において、通信部２２０は、入力端末１０から送信された稼動データ、島データ、入力時間データを取得する（ステップＳ１１）。図６に示した稼動データ、島データ、入力時間データを入力端末１０から取得する。
【００６６】
続いて、集計サーバ２０において、相関抽出部２１１は、入力端末１０から取得する複数の稼動データのうち、稼動データＡと入力時間データ（調査時間）とを抽出する。稼動データＡは、例えば、客数である（ステップＳ１２）。
【００６７】
判定部２１２は、抽出された稼動データＡ（客数）と入力時間データ（調査時間）と、相関ＤＢ２１に記憶された稼動データＡと入力時間データとの相関とを比較し、適合度合に応じてスコアを生成する（ステップＳ１３）。
【００６８】
スコア合計が所定の閾値になった場合（ステップＳ１４、ｙｅｓ）、稼動データＡは、妥当でないと判定される（ステップＳ２０）。
【００６９】
スコア合計が所定の閾値に満たない場合（ステップＳ１４、ｎｏ）、相関抽出部２１１は、稼動データ間、または稼動データと入力時間データとの別の相関を抽出する（ステップＳ１５）。相関抽出部２１１は、入力端末１０から取得する複数の稼動データのうち、稼動データＢと入力時間データ（調査時間）とを抽出する。稼動データＢは、例えば、出球数である。
【００７０】
判定部２１２は、抽出された稼動データＢ（出球数）と入力時間データ（調査時間）と、相関ＤＢ２１に記憶された稼動データＢと入力時間データとの相関とを比較し、適合度合に応じてスコアを生成する（ステップＳ１６）。
【００７１】
スコア合計が所定の閾値に満たない場合（ステップＳ１７、ｎｏ）、相関抽出部２１１は、稼動データＡ，稼動データＢを妥当であると判定し（ステップＳ１８）、稼動データＡ，Ｂを相関ＤＢに記憶する（ステップＳ１９）。
【００７２】
スコア合計が所定の閾値になった場合（ステップＳ１７、ｙｅｓ）、稼動データＡ，Ｂは、妥当でないと判定される（ステップＳ２０）。判定部２１２は、稼動データを削除する（ステップＳ２１）。判定部２１２は、妥当でないと判定された稼動データＡ，Ｂを削除する代わりに、妥当でない旨のフラグを付与して相関ＤＢ２１に記憶してもよい。あるいは、判定部２１２は、妥当でないと判定された稼動データが入力された入力端末１０に対して、稼動データが正しくない旨の警告を発信してもよい。
【００７３】
（８）集計サーバによる稼動データの妥当性の判定（判定部の第３の方法）
上述したように、実施形態の稼働状況取得システム１では、出球数と調査時間、客数と調査時間との相関に基づいて、調査員によって入力された稼動データの妥当性を判定することができる。しかし、相関だけでは、稼動データの妥当性を正確に判断できない場合がある。
【００７４】
例えば、調査した時間が話題のＴＶ番組が放映されている時間帯だった、或いは、遊技場店舗の地域が台風の直撃を受けた、などの要因によって、客数が極端に少なく、通常では、「妥当でない」と判定されるような調査時間で調査が終了することがある。
【００７５】
また、別の例として、稼働状況取得システム１では、女性客の割合が１００％になることは、通常は「妥当でない」と判定されるように設定されている。しかし、例えば、レディースデーなどのイベントが設定されている場合には、調査に要した時間が同じであっても、女性割合１００％が有り得る。
【００７６】
実施形態の稼働状況取得システム１では、このように、イベントや天候などの要因（外的な要因）によって「妥当でない」判定が導き出され、分析結果の信頼性が低下することがないように、稼動データの判定の下限値を引き下げる、または引き上げる設定をすることが可能である。
【００７７】
一例として、入力端末１０において、稼動データの入力時に、調査員によって、バーコード付き島図３００における付加データバーコード３０７が読み取られると、集計サーバ２０は、相関ＤＢ２１に記憶された図７に示す稼動データＡと入力時間データとの相関を設定し直す。一例として、入力時間データを全て−５（ｍｉｎ）に変更した相関に基づいて稼動データの妥当性を判定する。
【００７８】
また、相関ＤＢ２１に記憶された相関を都度、再設定する方法のほか、図４に示すように、付加データが入力された際に適用される比較対象としての稼動データ間の相関、稼動データと入力時間データとの相関が記憶された補正ＤＢ２２を用意してもよい。入力端末１０において、稼動データの入力時に、調査員によって、バーコード付き島図３００における付加データバーコード３０７が読み取られると、比較対象として補正ＤＢ２２に記憶された相関が使用される。
【００７９】
また、例えば、遊技場に設置された遊技機の機種変更、台の入れ替えなどがあった場合には、調査員が慣れていないため、前回の調査よりも時間を要する場合がある。同様に、調査員の熟練度によっても調査時間が変動する場合がある。そこで、「台の入れ替え」、「入れ替え台数」、「調査員の調査回数」、「調査員の熟練度」などを入力する付加データを設定してもよい。
【００８０】
このように、実施形態の稼働状況取得システム１では、調査員による調査の際に調査時間（入力工数）に影響を与える要因（内的な要因）に応じて「妥当でない」判定が導き出され、分析結果の信頼性が低下することがないように、稼動データの判定の下限値を引き下げる、または引き上げる設定をすることが可能である。
【００８１】
（９）作用・効果
実施形態に係る稼働状況取得システム１によれば、遊技場に設置された島データと、調査員によって入力端末１０によって入力された稼動データと、調査員による稼動データの入力に要した入力時間を示す入力時間データとを対応付けて記憶する。このため、取得した稼動データを島データに対応付けて確実に取得することができる。
【００８２】
また、調査員によって入力端末１０を介して入力された稼動データ間の相関、或いは稼動データと入力時間データとの相関に基づいて、入力端末１０を介して新たに入力された稼動データが妥当か否か判定される。このため、入力された稼動データが調査員によって捏造された稼動データか否か判別できる。従って、頭取り調査において、稼動データの分析結果の信頼性を高めることができる。
【００８３】
実施形態において、判定部２１２は、スコア合計が所定の閾値になったか否かによって、稼動データが妥当か否か判定する。ひとつの稼動データを用いる場合には、ひとつの稼動データが妥当か否かに強く影響を及ぼすことになるため、正確な判定ができない場合があるが、スコア合計の閾値に基づいて判定する場合では、一連の複数の稼動データの妥当性を総合的に判定できるため、判定の精度が向上する。
【００８４】
実施形態において、判定部２１２は、調査員により入力された稼動データを妥当であると判定した場合には、相関抽出部２１１によって抽出された相関を相関ＤＢ２１に追加し、新たに入力された稼動データ間、または新たに入力された稼動データと入力時間データとの相関と、相関ＤＢ２１に追加された相関を含む複数の相関とに基づいて、新たに入力された稼動データが妥当か否か判定する。
【００８５】
これにより、新たに入力された稼動データが妥当か否かを判定する基準となる相関のデータを更新させていくことができ、判定の精度を高めることができる。
【００８６】
実施形態において、バーコード付き島図３００に遊技場の客数に影響を与える要因を示す付加データを入力可能にした場合には、例えば、調査した時間が話題のＴＶ番組が放映されている時間帯だった、或いは、遊技場店舗の地域が台風の直撃を受けた、などの要因によって、通常では、「妥当でない」と判定されるような例外的な稼動データが取得された場合であっても、要因を加味して稼動データの妥当性を判定できる。
【００８７】
また、例えば、遊技場に設置された遊技機の機種変更、台の入れ替えがあった場合、あるいは調査員の熟練度などによって、「妥当でない」と判定されるような例外的な稼動データが取得された場合であっても、本実施形態では、要因を加味して稼動データの妥当性を判定できる。従って、例外的な稼動データによる分析結果の信頼性の低下を防止できる。
【００８８】
（１０）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８９】
実施形態において、調査データは、パチンコ店、パチスロ店の店舗毎の集客状況や設置された遊技機の稼働状況を表す、いわゆる頭取り調査に関するデータであると説明した。しかし、パチンコ店、パチスロ店に限定されない。例えば、ゲームセンターであってもよい。
【００９０】
図１では、入力端末１０は、１つのみ記載されている。しかし、入力端末１０は、複数用意することができる。ネットワーク３０の一例として、いわゆるインターネットを挙げているが、ネットワーク３０は、専用回線で接続されるネットワークであってもよい。
【００９１】
実施形態では、バーコード付き島図２００、バーコードリーダ１６０について説明した。しかし、バーコードの代わりに、白マスと黒マスの格子状パターンで表されたマトリックス型の２次元コードを用いることができる。
【００９２】
バーコード付き島図３００は、シート状の媒体であると説明した。しかし、例えば、メモリー性を有し、かつ書き換えが可能な、いわゆる電子ペーパーのような表示装置に表示されていてもよい。この場合には、例えば、入力端末１０において、店舗名を指定すると、本部のサーバから、バーコード付き島図のデータを入力端末１０に転送することもできるため、調査対象の店舗が増えたとしても、調査員は、複数のバーコード付き島図を持ち歩く必要がなくなる。
【００９３】
実施形態では、調査員によって入力された稼動データ間、稼動データまたは入力時間データとの間の相関が相関抽出部２１１において抽出されると説明した。しかし、稼動データの妥当性を判定するための相関は、例えば、「出球数と調査時間」、及び／又は「客数と調査時間」のように、予め決められていてもよい。
【００９４】
実施形態では、図５〜図９を用いて、調査員によって入力された稼動データの妥当性を判定する方法について説明した。しかし、稼動データの妥当性を判定する為に使用可能な稼動データの相関には、説明したパターン以外にも以下のパターンが挙げられる。
・「新たに取得された客数」と「同一島において、過去の同じ曜日同じ時間に取得された客数」との相関
・「新たに取得された出球数」と「同一島において、過去の同じ曜日同じ時間に取得された出球数」との相関
・「調査員による各稼動データの入力間隔」と、「同一島における過去の入力間隔」との相関
・「バーコードリーダによって入力したときの入力手順（入力ログ）」と「過去の入力ログ」
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００９５】
本発明に係る稼働状況取得システム及び稼働状況取得方法は、調査員によって行われる頭取り調査において、信頼性の高い稼動データ及び分析結果の提供に有用である。
【符号の説明】
【００９６】
１…稼働状況取得システム、  １０…入力端末、  ２０…集計サーバ、  ２１…相関データベース、  ２２…補正データベース、  ３０…ネットワーク、  ３０…集計サーバ、  １１０…制御部、  １２０…バーコードリーダ、  １４０…通信部、  １５０…表示部、  １５０…記憶部、  １６０…バーコードリーダ、  １６０…音声出力部、  １７０…記憶部、  １８０…計時部、  ２１０…制御部、  ２１１…相関抽出部    ２１２…判定部、  ２２０…通信部、  ２３０…操作部、  ２４０…表示部、  ２５０…音声出力部、  ２６０…記憶部、  ３０１，３０２，３０３…島特定バーコード、  ３０４…性別バーコード、  ３０５…テンキーバーコード、  ３０６…選択バーコード、  ３０７…付加データバーコード
【図１】
2011244853.tif 000003
【図２】
2011244853.tif 000004
【図３】
2011244853.tif 000005
【図４】
2011244853.tif 000006
【図５】
2011244853.tif 000007
【図６】
2011244853.tif 000008
【図７】
2011244853.tif 000009
【図８】
2011244853.tif 000010
【図９】
2011244853.tif 000011